(57)【要約】【課題】  電気炊飯器等の開閉可能な蓋体を備えた電気調理器において、蓋体側電気基板と調理器本体側電気基板とを接続する電気配線材の局部的な変形を回避し、耐久性を向上させる。【解決手段】  該調理器本体の開口部一端側に軸支され、該調理器本体の開口部を開閉可能に覆う蓋体と、該蓋体の内側に設けられた第１の電気基板と、上記調理器本体の内側に設けられた第２の電気基板と、上記第１の電気基板と第２の電気基板を上記軸支部外周を通して相互に電気的に接続する電気配線材とを備えてなる電気調理器であって、上記軸支部を通って上記第２の電気基板に至る上記電気配線材の途中に折り返し部を設け、上記蓋体開閉時の上記電気配線材の変形を当該折り返し部の昇降動作として吸収するようにした。【選択図】    図２
2019024951.tif 000002
【特許請求の範囲】
【請求項１】
調理器本体と、該調理器本体の開口部一端側に軸支され、該調理器本体の開口部を開閉可能に覆う蓋体と、該蓋体の内側に設けられた第１の電気基板と、上記調理器本体の内側に設けられた第２の電気基板と、上記第１の電気基板と第２の電気基板を上記軸支部外周を通して相互に電気的に接続する電気配線材を備えてなる電気調理器であって、上記軸支部を通って上記第２の電気基板に至る電気配線材の途中に折り返し部を設け、上記蓋体開閉時の電気配線の変形を当該折り返し部の昇降動作として吸収するようにしたことを特徴とする電気調理器。
【請求項２】
上記折り返し部から第２の電気基板側に導入される導入口部分に上記折り返し部側に開放し、かつ上下方向に所定のスペースを有する空間部を設けたことを特徴とする請求項１記載の電気炊飯器。
【請求項３】
上記蓋体内における電気配線材は、蓋体開閉時に動かないように所定の手段で配設部に固定されていることを特徴とする請求項１または２記載の電気炊飯器。
【発明の詳細な説明】
【技術分野】
【０００１】
本願発明は、開閉可能な蓋体を備えた電気調理器に関し、蓋体側電気基板と調理器本体側電気基板とが可撓性のある電気配線部材で接続された電気調理器の構成に関するものである。
【背景技術】
【０００２】
電気炊飯器に代表される開閉可能な蓋体を備えた電気調理器では、一般に蓋体側に操作スイッチや液晶パネル、マイコンを備えたマイコン基板、調理器本体側にワークコイルやヒータ等の加熱手段の出力を制御する制御基板が設けられており、これらマイコン基板と制御基板は、所定の配線材、例えばフレキシブルフラットケーブル（ＦＦＣ：従来のカード電線、テープ電線に相当）を用いて電力の供給や信号の送受信が可能となるように電気的に接続されている（例えば、特許文献１の電気炊飯器の構成を参照）。
【０００３】
このフレキシブルフラットケーブルは、絶縁体中に複数本の平型導体を水平方向に並設して構成されており、容易に多芯化できるとともに、薄いので可撓性に優れ、実装スペースが小さい所や、稼働部などに対応して、容易に設置することができる。
そのため、上記蓋体内部のマイコン基板のコネクタ部分から他端側を蓋体内部の隙間を通して後方に延出し、上記蓋体および調理器本体の後部において上記蓋体を上下に開閉可能に支持しているヒンジユニットの背面とヒンジユニットを覆うヒンジカバーとの間の隙間を介して調理器本体内に導入し、その導入端を調理器本体側制御基板のコネクタ部分に接続するのに適している。  
そして、従来の構成の場合、上記マイコン基板のコネクタ部分からヒンジユニットの背面とヒンジカバーとの間の隙間を介して調理器本体内制御基板のコネクタ部分に至るフレキシブルフラットケーブルは、上記ヒンジユニットの背面とヒンジカバーとの間の隙間部分でＣ字状に撓ませて調理器本体内制御基板のコネクタ部分に接続しており、同Ｃ字状部分で蓋体開閉時の撓みを吸収するようにしていた。
このような事情は、上記のようなフレキシブルフラットケーブル（ＦＦＣ
の場合に限らず、フレキシブル基板（ＦＰＣ）やワイヤーハーネス（ＷＨ）など、各種の電気配線材の場合にも同様である。
【先行技術文献】
【特許文献】
【０００４】
【特許文献１】特開２０１２−２５４１３１号公報（段落００５３〜００５８の記載および図１、図２の構成を参照）
【発明の概要】
【発明が解決しようとする課題】
【０００５】
しかし、上記従来の構成の場合、蓋体開放時には上記Ｃ字状部分に圧縮力がかかり（背面側ヒンジカバーで後方への撓みが規制されるので）、上下直線方向に変形する一方、蓋体閉成時にはＵ字状に近く曲げられることになる。
【０００６】
その結果、当該電気配線材の曲成部分に繰り返し、ストレスがかかり、断線の恐れが生じる。
【０００７】
本願発明は、このような問題を解決するためになされたもので、上記のような電気配線材の配線部途中に折り返し部を形成することによって、蓋体の開閉に対応した電気配線材の移動を当該折り返し部の昇降動作として吸収することによって、電気配線材自体に局部的な屈曲を生じさせないようにし、断線等の恐れを解消した電気調理器を提供することを目的とするものである。
【課題を解決するための手段】
【０００８】
本願発明は、上記の目的を達成するために、次のような課題解決手段を備えて構成されている。
【０００９】
（１）  請求項１の発明の課題解決手段
この請求項１の発明の課題解決手段は、調理器本体と、該調理器本体の開口部一端側に軸支され、該調理器本体の開口部を開閉可能に覆う蓋体と、該蓋体の内側に設けられた第１の電気基板と、上記調理器本体の内側に設けられた第２の電気基板と、上記第１の電気基板と第２の電気基板を上記軸支部外周を通して相互に電気的に接続する電気配線材を備えてなる電気調理器であって、上記軸支部を通って上記第２の電気基板に至る電気配線の途中に折り返し部を設け、上記蓋体開閉時の電気配線の変形を当該折り返し部の昇降動作として吸収するようにしたことを特徴としている。
【００１０】
このように、上記蓋体側から軸支部を通って上記調理器本体側の第２の電気基板に至る電気配線の途中に折り返し部を形成し、上記蓋体の開閉に対応した電気配線材の変形を当該折り返し部の昇降動作として吸収させるようにすると、フレキシブルフラットケーブル等電気配線材の局部的な曲げ変形を回避できるようになり、フレキシブルフラットケーブル等電気配線材の耐久性が向上し、断線の恐れがなくなる。
【００１１】
（２）  請求項２の発明の課題解決手段
この請求項２の発明の課題解決手段は、上記請求項１の発明の課題解決手段において、上記折り返し部から第２の電気基板側に導入される導入口部分に上記折り返し部側に開放し、かつ上下方向に所定のスペースを有する空間部を設けたことを特徴としている。
【００１２】
このように、フレキシブルフラットケーブル等電気配線材の折り返し部から第２の電気基板側に導入される導入口部分に折り返し部側に開放し、かつ上下方向に所定のスペースを有する空間部を設けると、上記折り返し部から第２の電気基板側に導入されるフレキシブルフラットケーブル等の電気配線材部分の変形移動の自由度が高くなり、蓋体開閉時にも局部的な曲げ変形を生じさせない形で、フレキシブルフラットケーブル等電気配線材の動きを自由に逃がすことができるので、フレキシブルフラットケーブル等電気配線材に不要な応力をかけなくて済むようになる。
【００１３】
その結果、フレキシブルフラットケーブル等電気配線材の折り返し部から第２の電気基板に導入される部分の局部的な曲げ変形を回避することができ、フレキシブルフラットケーブル等電気配線材の耐久性の向上につながる。
【００１４】
（３）  請求項３の発明の課題解決手段
この請求項３の発明の課題解決手段は、上記請求項１又は２の発明の課題解決手段の構成において、上記蓋体内における電気配線材は、蓋体開閉時に動かないように所定の手段で配設部に固定されていることを特徴としている。
【００１５】
フレキシブルフラットケーブル等の電気配線材の途中に上述のような折り返し部があっても、蓋体が開閉されると蓋体内の当該フレキシブルフラットケーブル等電気配線材が固定されていないと、蓋体内の隙間部分で或る程度押されたり、引っ張られたりして、周囲の部材と干渉する。そして、この干渉によって、周囲の部材やフレキシブルフラットケーブル等の電気配線材にストレスがかかり、損傷や耐久性を低下させる恐れがある。
【００１６】
ところが、上記蓋体内におけるフレキシブルフラットケーブル等の電気配線材を、蓋体開閉時にも動かないように、例えばテープ等所定の手段で配設部に固定すると、そのような問題が生じないようになり、より確実に耐久性を向上させることができるようになる。
【発明の効果】
【００１７】
以上の結果、本願発明の電気調理器によると、従来のようなフレキシブルフラットケーブル等で構成される各種電気配線材の断線の恐れがなくなり、制御機能の信頼性をも向上させることができる。
【図面の簡単な説明】
【００１８】
【図１】この出願の発明の実施の形態に係る電気調理器（電気炊飯器）の調理器本体（炊飯器本体）の構成を示す平面図である。
【図２】同電気調理器の調理器本体の内部の構成を示す図１のＡ−Ａ線切断部での断面図である。
【図３】同電気調理器の調理器本体の要部の構成を示す図２の一部拡大断面図である。
【図４】同電気調理器において、蓋体側マイコン基板と調理器本体側制御基板とを蓋体が開閉可能な状態で電気的に接続する電気配線材（フレキシブルフラットケーブル）の構成を示す斜視図である。
【図５】同電気調理器の調理器本体の蓋体を開いた状態の構成を示す図２と同様の切断位置での断面図である。
【発明を実施するための形態】
【００１９】
以下、添付の図１〜図５の図面を参照して、この出願の発明を実施するための実施の形態の構成について詳細に説明する。
【００２０】
まず図１〜図５には、この出願の発明の実施の形態にかかる開閉可能な蓋体を備えた電気調理器の調理器本体および要部の構成が示されている。
【００２１】
この実施の形態における電気調理器は、例えば図１および図２に示すように電気炊飯器として構成されており、その基本的な構成部分として、電気炊飯器本体１と、該電気炊飯器本体１の開口部一端側に軸支され、該電気炊飯器本体１の開口部を開閉可能に覆う蓋体２と、該蓋体２の内側に設けられた第１の電気基板であるマイコン基板（操作基板）５０と、上記電気炊飯器本体１の内側に設けられた第２の電気基板である制御基板（電源基板）６０と、上記第１の電気基板であるマイコン基板５０と第２の電気基板である制御基板６０を上記軸支部外周側を通して相互に電気的に接続する電気配線材としてのフレキシブルフラットケーブル３０を備えているとともに、上記軸支部外周側を通って上記制御基板６０側に至るフレキシブルフラットケーブル３０の途中にＶ字状の折り返し部３０ｄを設け、上記蓋体２開閉時のフレキシブルフラットケーブル３０の変形を当該折り返し部３０ｄの昇降動作として吸収するようにしている。
【００２２】
＜炊飯器本体部分の構成：図１および図２参照＞
先ず、本実施の形態にかかる電気炊飯器における炊飯器本体１は、例えば図１および図２に示されるように、米および水を収容する電磁誘導加熱可能な金属製の内鍋３と、該内鍋３を任意に収納セットし得るように形成された内ケース（保護枠）４と、該内ケース４の底部側に電磁誘導コイル５を介して設けられたコイル台６と、該コイル台６および上記内ケース４を保持する外部筺体である有底筒状の外ケース７と、該外ケース７の上端と上記内ケース４の上端とを連結一体化している肩部材８とから構成されており、この炊飯器本体１の上部側開口部には、該上部側開口部を開閉可能に覆蓋する蓋体２が上記肩部材８の後端側部分で軸支部であるヒンジユニット９を介して軸着され、上下方向に開閉自在に取り付けられている。
上記炊飯器本体１の上部側開口部は、上記肩部材８によって周囲を囲繞されており、  上記内ケース４の底壁部４ａ上には、一定の間隔をおいて当該肩部材８により吊り持ちされた内鍋３の底壁部３ａが対応するようになっている。そして、上記内ケース４の底壁部４ａの中央部には、センターセンサー嵌挿穴が設けられており、該センターセンサー嵌挿穴を介して下方側から底センサが当該内鍋３の底壁部３ａに当接するように臨まされており、これにより内鍋３の温度が検出されるようになっている（図示省略）。
また、上記内ケース４の上部側外周面には、炊飯および保温時において加熱手段として機能する例えば電気ヒータ１１が設けられており、炊飯時および保温時において上記内鍋３の側壁部３ｂを有効かつ均一に加熱するようになっている。
【００２３】
なお、上記内ケース４の下方側、上記コイル台６部分には、その周方向４方に位置してフェライトコアが設けられている。
【００２４】
また、符号７ａは、炊飯器本体１の外ケース７後端側に設けられた取っ手受け、符号１３は、同取っ手受け７ａに受け止められる取っ手である。  
【００２５】
＜炊飯器本体内の電装品収納部およびコードリール設置部の構成：図１および図２参照＞
一方、符号１２は、上記外ケース７の底部側開口部を閉じている底ケースであり、この底ケース１２の後端側所定幅部分には、炊飯器本体内に冷却用の空気を取り入れるための空気吸い込みグリル１２ａが設けられており、その上部には所定の電装品収納空間が形成されている。そして、この電装品収納空間部分に、上述したワークコイル５を駆動制御するＩＧＢＴやヒータ１１を駆動制御するヒータ駆動手段、電源電圧整流用のダイオードブリッジよりなる整流回路、平滑回路、その他の電子部品６２、ＩＧＢＴ冷却用の放熱フィン６３等を備えた第２の電気基板である制御基板（電源基板）６０が制御基板カバー６１を介して設けられている。
この制御基板６０には、その上端側に後述するフレキシブルフラットケーブル３０の他端側に設けられている接続用コネクタ（図示省略）が接続されるコネクタ１７が設けられている。そして、上記制御基板カバー６１は、その上端側所定の長さの鉤状の縁部６１ａで、同コネクタ１７部分をカバーするように構成されている。この制御基板カバー６１の縁部６１ａによる制御基板６０上端部のカバーは、後述するフレキシブルフラットケーブル３０を配設する場合のガイド部にもなるものである。
さらに、上記制御基板カバー６１は、その背面側に設置されるコードリール６５設置空間との間を仕切る仕切り壁としての機能も果たしている。
すなわち、炊飯器本体１の上記制御基板カバー６１と外ケース７との間には、図１、図２に示すような上下方向（肩部材８のヒンジ部設置位置）までストレートに伸びて連通するコードリール設置空間が形成されており、その中央から下端部に位置してコードリール６５が外ケース７との間に所定の前後幅の隙間１０Ｆを残して設けられている。このコードリール設置空間は、上記コードリール６５と外ケース７との間の隙間１０Ｆが、途中の空間１０Ｅを介し、そのまま上方に伸びて、上記ヒンジユニット９（その背面カバー１９）と肩部材８の外壁部８ａとの間の隙間１０Ｄ部分にストレートに連通している。そして、これらの連通する隙間１０Ｄ〜１０Ｆを利用して、後述するフレキシブルフラットケーブル３０がその途中をＶ字状に折り返した状態で配設されるようになっている。
【００２６】
＜蓋体部分の構成：図１および図２参照＞
次に、上記炊飯器本体１の上部側開口部を閉じる蓋体２は、例えば図１および図２に示されるように、その上部側本体面を構成する合成樹脂製の上板（本体カバー）２１と、該上板２１の内側（下側）に設けられた同じく合成樹脂製の下板（ポリカバー）２２と、該下板２２の本体部の内側（下側）に重合固定される蓋ヒータ（図示省略）を有する金属製の放熱板２５と、該放熱板２５の下方に設けられ、その外周縁部分にゴム製のパッキン２７を有する合成樹脂製の枠部材２６を介して上記下板２２に着脱可能に取り付けられている金属製の内蓋２８とから構成されている。
【００２７】
また、該蓋体２の上記上板２１の上部側には、例えば図１および図２に示すような所定の厚さを有する合成樹脂製の銘板２０が重合一体化されており、該銘板２０の前半分部分には、フックボタン（蓋開閉ボタン）２０ａ、予約、炊飯、取り消し、時分、保温、メニュー等の各種操作キー（その操作面）２０ｂ，２０ｃ，２０ｄ、２０ｅ，２０ｆ，２０ｇ、液晶表示部（その表示面）２０ｈが設けられている。フックボタン（蓋開放ボタン）２０ａは、上板２１に設けられたフックボタン設置口にその上端側操作面部分を下方側から臨ませる形で、上下方向に昇降可能に支持されている。
【００２８】
また、該蓋体２の上記上板２１には、上記予約、炊飯、取り消し、時分、保温、メニュー等の各種操作キー（その操作面）２０ｂ，２０ｃ，２０ｄ、２０ｅ，２０ｆ，２０ｇおよび液晶表示部（その表示面）２０ｈの下方側に位置して、それら予約、炊飯、取り消し、時分、保温、メニュー等の各種操作キー２０ｂ，２０ｃ，２０ｄ、２０ｅ，２０ｆ，２０ｇ、液晶表示部２０ｈおよび必要なマイコンを実装した第１の電気基板であるマイコン基板５０を収納する所定の深さの電装品収納溝２１ａが設けられており、同電装品収納溝２１ａ内に、それら各種操作キー２０ｂ，２０ｃ，２０ｄ、２０ｅ，２０ｆ，２０ｇ、液晶表示部２０ｈおよび必要なマイコンを実装した第１の電気基板であるマイコン基板５０が収納されている。そして、この電装品収納溝２１ａの下部側には、後に詳述するフレキシブルフラットケーブル（ＦＦＣ）３０の一旦側が接続されるコネクタ部１６が設けられている。
【００２９】
また、該蓋体２の後部側部分には、平面視略方形の比較的面積の大きなスチームキャップ収納溝２１ｂが設けられており、該スチームキャップ収納溝２１ｂ部分に、お粘成分を回収しながら蒸気のみを外部に逃がすとともに炊飯工程において上記内鍋３内の圧力を調節するスチームキャップ４０が設けられている。なお、符号４０ａは、当該スチームキャップ４０の蒸気放出口である。
【００３０】
＜ヒンジユニット９部分の詳細な構成＞
ヒンジユニット９は、例えば図２および図３に示すように、上記蓋体２の上板２１後端側を上下方向に回動可能に支持する軸支部であり、ヒンジ軸９ａおよび左右一対のヒンジ軸支持部材（ヒンジブラケット）９ｂ、９ｂにより構成され、ヒンジ軸９ａの外周部分には、蓋体２を開方向に回動付勢するコイルバネ９ｃが巻装されている。
上記ヒンジ軸９ａおよびヒンジ軸支持部材９ｂ、９ｂは、上述した肩部材（肩部材本体）８後端の内周側所定幅部分に設けられたヒンジユニット設置部８０上に固定して設けられている。そして、同状態において、上記ヒンジ軸９ａおよびヒンジ軸支持部材９ｂ、９ｂの背面側には、金属製の背面カバー１９が一体に設けられている。この背面カバー１９は、上記ヒンジユニット設置部８０の下端から上記ヒンジ軸９ａ、コイルバネ９ｃの上部位置まで延び、その上端１９ａ側をコイルバネ９ｃの上部を覆うように所定寸法前方側に曲成してアール面を形成している。そして、このアール面が、後述するフレキシブルフラットケーブル３０のスムーズな円弧状のガイド面となるように構成されている。上記背面カバー１９は、例えばその下部１９ｂ部分を鉤状に折り曲げて、上記肩部材８の上記ヒンジユニット設置部８０部分に嵌合し、その背面側への当接部をビス止めする形で一体に取り付けられている。
上記背面カバー１９と上記肩部材８の前方側上方に円弧状に延びる外壁８ａとの間には、上方側蓋体２の下面側から下方に円弧状に降りて来て肩部材８の下部位置から下方の上記コードリール６５と外ケース７の隙間１０Ｆまでストレートに伸びるフレキシブルフラットケーブル３０配設用の隙間１０Ｃ，１０Ｄが形成されている。
【００３１】
＜フレキシブルフラットケーブル３０による蓋体２側マイコン基板５０と炊飯器本体１側制御基板６０との電気的な接続について：図２〜図５参照＞
この実施の形態では、電気配線材として、例えば図４に示すような、配線部の途中を完全に２つ折りにしたフレキシブルフラットケーブル３０を使用しており、例えば図２、図３に示すように、その一端側３０ａ部分を蓋体２内のマイコン基板５０側に配設する一方他端側３０ｅ，３０ｆを炊飯器本体１内の制御基板６０側に配設して構成されている。
【００３２】
すなわち、該フレキシブルフラットケーブル３０は、図４に示されるように構成されていて、その一端側３０ａ部分が、上記蓋体２内の上板２１の下面、具体的には、上記スチームキャップ収納溝２１ｂと上記枠部材２６および下板２２（ポリカバー）との間、電装品収納溝２１ａと下板（ポリカバー）２２との間に位置して配設され、その先端側コネクタ部分（図示省略）が電装品収納溝２１ａ側底部のコネクタ１６に接続されている。なお、図２では、同フレキシブルフラットケーブル３０の一端側３０ａ部分を水平方向にストレートに延設した状態に描いているが、これは蓋体２内の上下部材の形状等に応じて或る程度上下に変位することは勿論である。
【００３３】
また、他方、同フレキシブルフラットケーブル３０の後端側３０ｂ部分は、上記ヒンジユニット９の上方部を超えて後方空間１０ｃ部分に円弧状に回り、その後、背面カバー１９と肩部材８の外壁８ａとの間の隙間１０Ｄ，１０Ｅを通って下方側のコードリール６５と外ケース７との間の隙間１０Ｆ部分にストレートに伸びている。この下方に伸びたストレート部を符号３０ｃで示している。
【００３４】
このストレート部３０ｃは、上述したコードリール６５と外ケース７との間の隙間１０Ｆ部分で、２つに確実に折り返され、その少し短い折り返し片３０ｅ部分を上方側に凸の緩やかな円弧形状に曲成した状態で、上記制御基板カバー６１の上端側縁部６１ａの上方部を通し、その先端側３０ｆ部分を下方側手前に小さく曲成して先端のコネクタ部分（図示省略）を上記制御基板６０上端側のコネクタ１７に接続している。
この結果、図４のように、配線部の途中に折り返し部３０ｄを設けて構成されたフレキシブルフラットケーブル３０が、図２のように、蓋体２内の電装品収納溝２１ａ下部のコネクタ１６部分（隙間１０Ａ部分）から、スチームキャップ収納溝２１ｂの下部（隙間１０Ｂ部分）を通り、炊飯器本体１のヒンジユニット９（その背面板１９）と肩部材８の外壁との隙間１０ｃ部分から炊飯器本体１内に入り、その後、制御基板カバー６１と外ケース７との隙間１０Ｅ  、コードリール６５と外ケース７との間の隙間１０Ｆに達し、同コードリール６５と外ケース７との間の隙間１０Ｆ部分で、２つに確実に折り返され、同折り返し片３０ｅ部分を上方側に凸の緩やかな円弧形状に曲成した状態で、上記制御基板カバー６１の上端側縁部６１ａの上方部を通り、その先端側３０ｆ部分を下方側手前に曲成して制御基板６０側のコネクタ１７に接続されることになる。
そして、この場合、上記蓋体２内のフレキシブルフラットケーブル３０（３０ａ）は、基本的に上下部材の隙間１０Ａ、１０Ｂ部分を利用して配設されるが、単に隙間１０Ａ、１０Ｂ内に配設しただけでは、蓋体２の開閉時に隙間内でケーブルが動き、もろい部材を損傷したり、ケーブル自体が損傷する恐れがある。そこで、例えば図２、図３に示されるように、少なくとも炊飯器本体１側に引き出される手前のスチームキャップ収納溝２１ｂ部分を同スチームキャップ収納溝２１ｂの底部に対してテープ３５で張り付けるなどして、確実に固定している。その結果、蓋体２内での弛みや他の部材との干渉は生じない。
したがって、このような構成によると、蓋体２を開閉した時に生じるフレキシブルフラットケーブル３０各部の動きは、図２、図３のような配設状態において、蓋体２が閉じている時は、図２、図４のような状態にあり、同状態から図５のように蓋体２が開かれ、また逆に図２の状態に閉じられる場合において、図４の（イ）〜（ハ）のようになり、蓋体２側では（イ）のように単に蓋体２の開閉方向に自由に追随するだけであり、またストレート部３０ｃおよび折り返し部３０ｄ部分は、（ロ）のように上記制御基板カバー６１背後の隙間１０Ｅと上記コードリール６５と外ケース７の間の隙間１０Ｆ部分を上下にストレートに昇降するだけであり、また折り返し部３０ｄから制御基板６０側への上方側に凸の緩やかな円弧形状に曲成された折り返し片３０ｅは、（ハ）のように大きな曲成状態のままで折り返し側が上下方向に昇降するだけとなる。
【００３５】
したがって、配線部自体に繰り返しストレスを与える従来のような局部的な変形は生ぜず、耐久性が大きく向上して、蓋体２の開閉による断線等の恐れもなくなる。
【００３６】
以上のように、上記折り返し部３０ｄから制御基板６０側への上方側に凸の緩やかな円弧形状に曲成された折り返し片３０ｅは、図４の（ハ）に示すように大きな曲成状態のままで折り返し側が上下方向に昇降する。したがって、当該折り返し片３０ｅの制御基板６０側への導入口部分１５は、所定の広い空間に形成されていることがこのましい。そこで、この実施の形態の場合、同導入空間１５部分を上下に有効な変形スペースを有する空間としており、折り返し片３０ｅの自由な上下動を可能としている。
なお、フレキシブルフラットケーブルの場合、上記のように真２つに折り返しても機能上は全く問題なく使用することができる。そして、この折り返し部３０ｄ部分は、相互に広がらない方が耐久性向上に有効なので、同部分が上記のように、コードリール６５と外ケース７との狭い隙間１０Ｆ内にあるのは、その意味でも好ましい。したがって、また、同折り返し部３０ｄ部分をテープで相互に接合することも有効である。
【００３７】
また、この折り返し部３５に続く上記ストレート部３０ｃは、蓋体２側で生じた水をコードリール６５背面側の空間を利用して底ケース１２から外部に排出する作用も果たす。
【００３８】
また、以上の実施の形態では、フレキシブルフラットケーブル（ＦＦＣ）を採用した場合について説明したが、上述した本願発明の構成は、例えばエッチングで回路形成したＦＰＣやワイヤーハーネス等、各種の類似する電気配線材を採用した場合にも全く同様に適用することができることは言うまでもない。  
【符号の説明】
【００３９】
１は炊飯器本体、２は蓋体、３は内鍋、４は内ケース、５は電磁誘導コイル、６はコイル台、７は外ケース、９はヒンジユニット、１２は底ケース、１３は本体側取っ手、１６はマイコン基板５０側コネクタ、１７は制御基板６０側コネクタ、１９はヒンジ部背面カバー、２０は銘板、２１は上板（蓋本体）、２２は下板（ポリカバー）、２１ａは電装品収納溝、２１ｂはスチームキャップ収納溝、２６は枠材、３０はフレキシブルフラットケーブル、３０ａはフレキシブルフラットケーブル３０の蓋体内一端側配設部、３０ｂはフレキシブルフラットケーブル３０のヒンジ部背面側曲成部、３０ｃはフレキシブルフラットケーブル３０のストレート部、３０ｄはフレキシブルフラットケーブル３０の折り返し部、３０ｅはフレキシブルフラットケーブル３０の折り返し片、５０はマイコン基板、６０は制御基板、６１は制御基板カバー、６５はコードリールである。
【図１】
2019024951.tif 000003
【図２】
2019024951.tif 000004
【図３】
2019024951.tif 000005
【図４】
2019024951.tif 000006
【図５】
2019024951.tif 000007